(57)【要約】【課題】機能性を向上させる。【解決手段】画像形成装置２は、交流電源の周期的な変化に基づきＡＣ電源入力ＩＡＣを監視するＡＣゼロクロス検出部１６と、ＡＣゼロクロス検出部１６が、ＡＣ電源入力ＩＡＣのオン状態からオフ状態への変化を検出した場合は、ＡＣ電源入力ＩＡＣを監視するソフトウェアリセット状態へ移行し、その後、ＡＣ電源入力ＩＡＣのオフ状態からオン状態への変化を検出した場合は、ソフトウェアリセット状態から初期設定動作状態へ移行する動作モード制御部１８とを有する電源制御ＣＰＵ１４を設ける。【選択図】図３
2019034503.tif 000002
【特許請求の範囲】
【請求項１】
交流電源の周期的な変化に基づきＡＣ電源入力を監視するＡＣ電源入力監視部と、
前記ＡＣ電源入力監視部が、前記ＡＣ電源入力のオン状態からオフ状態への変化を検出した場合は、前記ＡＣ電源入力を監視する第１リセット状態へ移行し、その後、前記ＡＣ電源入力のオフ状態からオン状態への変化を検出した場合は、第１リセット状態から初期設定動作状態へ移行する動作モード制御部と
を具える電源制御部を有する
画像処理装置。
【請求項２】
前記ＡＣ電源入力を直流に変換し前記電源制御部へ供給する電源制御部用電源を有し、
前記電源制御部は、前記ＡＣ電源入力がオン状態からオフ状態へ変化した後に、前記電源制御部用電源が所定のリセット電圧まで低下した場合、前記ＡＣ電源入力を監視する機能を含め動作を停止する第２リセット状態へ移行し、その後、前記電源制御部用電源が前記リセット電圧まで上昇した場合、前記第２リセット状態が解除され前記初期設定動作状態へ移行する
請求項１に記載の画像処理装置。
【請求項３】
前記電源制御部は、前記第１リセット状態へ移行した後であって、前記第２リセット状態へ移行する前に、前記ＡＣ電源入力監視部が、前記ＡＣ電源入力のオフ状態からオン状態への変化を検出した場合は、前記第２リセット状態へ移行せずに、前記第１リセット状態から前記初期設定動作状態へ移行する
請求項２に記載の画像処理装置。
【請求項４】
前記画像処理装置全体を制御する統轄制御部をさらに有し、
前記電源制御部は、前記第１リセット状態になる前に、前記ＡＣ電源入力が直流に変換され前記統轄制御部へ供給される統轄制御部用電源をオフにする
請求項３に記載の画像処理装置。
【請求項５】
前記電源制御部用電源を監視し、該電源制御部用電源が前記リセット電圧まで低下した場合、前記電源制御部を前記第２リセット状態とし、前記電源制御部用電源が前記リセット電圧まで上昇した場合、前記電源制御部の前記第２リセット状態を解除するリセット部
をさらに有する請求項４に記載の画像処理装置。
【請求項６】
用紙に対し画像を形成する画像形成部
をさらに有する請求項１に記載の画像処理装置。
【請求項７】
前記ＡＣ電源入力監視部は、前記ＡＣ電源入力がゼロクロスするタイミングを示すゼロクロス信号に基づき前記ＡＣ電源入力がオン状態又はオフ状態かを検出する
請求項６に記載の画像処理装置。
【請求項８】
前記ＡＣ電源入力を直流に変換すると共に、前記ＡＣ電源入力から前記ゼロクロス信号を生成する電源部と、
前記用紙にトナーを定着させる定着器とをさらに有し、
前記電源部は、前記電源制御部に加えて前記定着器へ前記ゼロクロス信号を供給する
請求項７に記載の画像処理装置。
【請求項９】
前記ＡＣ電源入力監視部は、所定時間内における前記ＡＣ電源入力の周期的な変化の回数が所定の閾値未満であった場合、前記ＡＣ電源入力がオン状態からオフ状態へ変化したと検出し、その後、前記ＡＣ電源入力の周期的な変化の回数が所定の閾値以上であった場合、前記ＡＣ電源入力がオフ状態からオン状態へ変化したと検出する
請求項１に記載の画像処理装置。
【請求項１０】
前記動作モード制御部は、前記第１リセット状態において、前記ＡＣ電源入力の監視以外の機能を停止させる
請求項１に記載の画像処理装置。
【請求項１１】
請求項１〜請求項１０の何れか１項に記載された前記画像処理装置と、
前記画像処理装置に供給される前記ＡＣ電源のオンオフを制御するホストと
を有する画像処理システム。
【発明の詳細な説明】
【技術分野】
【０００１】
本発明は、画像処理装置及び画像処理システムに関し、例えばＡＣ電源入力のオンオフ動作にて、画像形成装置内の電源のオンオフ制御を行う画像処理装置に適用して好適なものである。
【背景技術】
【０００２】
従来、画像形成装置においては、ＡＣ電源入力のオン状態からオフ状態への変化をＡＣゼロクロス信号にて監視し、ＡＣ電源入力のオフ状態を検出した場合、使用していない電源負荷を駆動させ、ＡＣ電源入力がオフ状態になった際の電源ユニットの残留電荷を放電させるものがあった（例えば、特許文献１参照）。
【先行技術文献】
【特許文献】
【０００３】
【特許文献１】特開２０００−１２２４８７号公報
【発明の概要】
【発明が解決しようとする課題】
【０００４】
しかしながらそのような画像形成装置においては、電源ユニットの残留電荷の放電時間は短縮されるものの、残留電荷の放電が完了する前にＡＣ電源入力が再度オン状態になると、電源制御ＣＰＵが初期化されないため、ＡＣ電源入力がオフ状態になってから再度ＡＣ電源入力をオン状態にするには、長い待ち時間が必要となっていた。
【０００５】
本発明は以上の点を考慮してなされたもので、機能性を向上し得る画像処理装置及び画像処理システムを提案しようとするものである。
【課題を解決するための手段】
【０００６】
かかる課題を解決するため本発明の画像処理装置においては、交流電源の周期的な変化に基づきＡＣ電源入力を監視するＡＣ電源入力監視部と、ＡＣ電源入力監視部が、ＡＣ電源入力のオン状態からオフ状態への変化を検出した場合は、ＡＣ電源入力を監視する第１リセット状態へ移行し、その後、ＡＣ電源入力のオフ状態からオン状態への変化を検出した場合は、第１リセット状態から初期設定動作状態へ移行する動作モード制御部とを有する電源制御部を設けるようにした。
【０００７】
また本発明の画像処理システムにおいては、上述した画像処理装置と、画像処理装置に供給されるＡＣ電源のオンオフを制御するホストとを設けるようにした。
【０００８】
これにより本発明は、待ち時間を減らし、ＡＣ電源入力がオフ状態になってから極めて短い時間で電源制御部を初期化可能な状態にすることができる。
【発明の効果】
【０００９】
本発明によれば、機能性を向上し得る画像処理装置及び画像処理システムを実現できる。
【図面の簡単な説明】
【００１０】
【図１】画像形成システムの制御構成を示すブロック図である。
【図２】ＡＣ電源入力のオンオフ動作を示すタイミングチャートである。
【図３】ＡＣ電源入力オンオフ動作処理手順を示すフローチャートである。
【図４】ＡＣ電源入力に対するＡＣゼロクロス信号及びタイマの動作を示すタイミングチャートである。
【図５】ＡＣ電源入力オフ状態検出処理手順を示すフローチャートである。
【図６】ＡＣ電源入力オン状態検出処理手順を示すフローチャートである。
【発明を実施するための形態】
【００１１】
以下、発明を実施するための形態（以下実施の形態とする）について、図面を用いて説明する。
【００１２】
［１．実施の形態］
［１−１．画像形成システムの構成］
図１に示すように画像形成システム１は、画像形成装置２、ホスト４及びＡＣ電源入力オンオフ回路８により構成されている。画像形成装置２は、例えばカラー用電子写真式プリンタであり、図示しない画像形成部により用紙に対し所望のカラー画像を印刷する。ホスト４は、ＰＣ（Personal Computer）等により構成され、画像形成装置２内のメインＣＰＵ１０及びＡＣ電源入力オンオフ回路８とＬＡＮ（Local Area Network）又はＵＳＢ（Universal Serial Bus）等の通信手段により接続されており、画像形成装置２へ印刷等の各種動作を指示する。ＡＣ電源入力オンオフ回路８は、交流の商用電源であるＡＣ電源ＰＡＣに接続されており、該ＡＣ電源ＰＡＣを図２（Ａ）及び図４（Ｃ）に示すＡＣ電源入力ＩＡＣとして画像形成装置２内の低圧電源１２へ供給する。なお図４（Ｃ）は、図２（Ａ）におけるＯＮの期間（オン状態）を示しており、図２（Ａ）におけるＯＦＦの期間（オフ状態）においてはＡＣ電源入力ＩＡＣが０［Ｖ］の状態となる。またＡＣ電源入力オンオフ回路８は、ホスト４と接続されており、ホスト４の指示により、画像形成装置２内の低圧電源１２へのＡＣ電源入力ＩＡＣの供給をオンオフする。これにより画像形成システム１においては、画像形成装置２へのＡＣ電源入力ＩＡＣの供給をホスト４が遠隔制御する。
【００１３】
［１−２．画像形成装置の制御構成］
統轄制御部としてのメインＣＰＵ（Central Processing Unit）１０は、ＲＯＭ（Read Only Memory）、ＲＡＭ（Random Access Memory）、ハードディスクドライブやフラッシュメモリ等でなる記憶部（図示せず）から所定のプログラムを読み出して実行することにより、画像形成装置２を統轄制御する。
【００１４】
電源部としての低圧電源１２は、ＡＣ電源入力オンオフ回路８から供給されるＡＣ電源入力ＩＡＣをＤＣ電源（直流電源）へ変換し、画像形成装置２内の各部へ電源を供給する。具体的に低圧電源１２は、それぞれメインＣＰＵ用電源オンオフ回路２０を介しメインＣＰＵ１０に統轄制御部用電源としてのメインＣＰＵ用電源ＰＭを、電源制御ＣＰＵ１４に電源制御ＣＰＵ用電源ＰＰと図２（Ｂ）及び図４（Ｂ）に示すＡＣゼロクロス信号ＳＺＣとを、リセット回路２２に電源制御部用電源としての電源制御ＣＰＵ用電源ＰＰを供給する。この低圧電源１２は、ＡＣ電源入力ＩＡＣが０［Ｖ］と交差するタイミング、すなわちゼロクロスのタイミングで、ＡＣゼロクロス信号ＳＺＣのパルスを出力する。また低圧電源１２は、ＡＣ電源入力ＩＡＣがＯＮの期間（オン状態）にＡＣゼロクロス信号ＳＺＣのパルスを出力し、ＡＣ電源入力ＩＡＣがＯＦＦの期間（オフ状態）にはＡＣゼロクロス信号ＳＺＣを出力しない。さらに低圧電源１２は、画像形成装置２内の定着器（図示せず）にＡＣゼロクロス信号ＳＺＣを供給する。定着器は、加熱ローラ及び加圧ローラにより構成されており、メインＣＰＵ１０の制御に基づき、加熱ローラを加熱すると共に該加熱ローラ及び加圧ローラをそれぞれ所定方向へ回転させることにより、トナー画像が転写された用紙に対して熱及び圧力を加えてトナーを定着させる。このＡＣゼロクロス信号ＳＺＣは、定着器内のハロゲンランプに電流を流す際のタイミングを、ＡＣ電源入力ＩＡＣのゼロクロスのタイミングからずらすことにより、ＡＣ電源ＰＡＣのフリッカの発生を防止するために用いられる。
【００１５】
電源制御ＣＰＵ１４は、ＡＣゼロクロス検出部１６及び動作モード制御部１８を有しており、メインＣＰＵ用電源オンオフ回路２０を制御することにより、メインＣＰＵ１０へ供給されているメインＣＰＵ用電源ＰＭのオンオフを制御する。この電源制御ＣＰＵ１４は、メインＣＰＵ１０とシリアルＩ／Ｆ又は専用信号で接続されている。ＡＣゼロクロス検出部１６は、低圧電源１２から供給されるＡＣゼロクロス信号ＳＺＣを監視し、ＡＣ電源入力ＩＡＣのオンオフを検出する。動作モード制御部１８は、ＡＣゼロクロス検出部１６の検出結果に応じて、電源制御ＣＰＵ１４の動作モードを制御する。この動作モードとは、第１リセット状態としてのソフトウェアリセット状態と、第２リセット状態としてのハードウェアリセット状態と、初期設定動作状態とである。ここで、ソフトウェアリセット状態とは、電源制御ＣＰＵ１４において、ＡＣゼロクロス検出部１６によるＡＣゼロクロス信号ＳＺＣの監視以外の機能を停止する状態である。またハードウェアリセット状態とは、電源制御ＣＰＵ１４において、ＡＣゼロクロス検出部１６によるＡＣゼロクロス信号ＳＺＣの監視の機能を含む全ての機能を停止する状態である。また初期設定動作状態とは、電源制御ＣＰＵ１４がソフトウェアリセット状態又はハードウェアリセット状態から復帰する際に、初期設定動作を行う状態である。
【００１６】
メインＣＰＵ用電源オンオフ回路２０は、電源制御ＣＰＵ１４の指示により、メインＣＰＵ１０へのメインＣＰＵ用電源ＰＭの供給をオンオフする。リセット部としてのリセット回路２２は、低圧電源１２から供給される電源制御ＣＰＵ１４への電源制御ＣＰＵ用電源ＰＰを監視し、所定の電圧であるリセット電圧Ｖｒｓｔ以下となった場合、電源制御ＣＰＵ１４へ、図２（Ｅ）に示すハードウェアリセット信号ＳＨＲをＯＮにして出力することにより、電源制御ＣＰＵ１４をハードウェアリセット状態にする。
【００１７】
［１−３．ＡＣ電源入力オンオフ動作処理］
画像形成装置２によるＡＣ電源入力オンオフ動作処理の具体的な処理手順について、図３のフローチャートを用いて説明する。ホスト４からシャットダウン指示を通信手段により受信すると、メインＣＰＵ１０は、記憶部（図示せず）からＡＣ電源入力オンオフ動作処理プログラムを読み出して実行することによりＡＣ電源入力オンオフ動作処理手順ＲＴ１を開始し、ステップＳＰ１へ移る。
【００１８】
ステップＳＰ１においてメインＣＰＵ１０は、ホスト４から受信したシャットダウン指示に従い、メモリ内容の退避等のシャットダウン処理を行い、シャットダウン処理完了後にステップＳＰ２へ移る。ステップＳＰ２においてメインＣＰＵ１０は、メインＣＰＵ用電源ＰＭのオフを電源制御ＣＰＵ１４へシリアルＩ／Ｆ又は専用信号により指示する。
【００１９】
ステップＳＰ３において電源制御ＣＰＵ１４は、メインＣＰＵ１０の指示に従い、メインＣＰＵ１０へ供給しているメインＣＰＵ用電源ＰＭをメインＣＰＵ用電源オンオフ回路２０によりオフにし、ステップＳＰ４へ移る。このときメインＣＰＵ１０は、メインＣＰＵ用電源ＰＭがオフになったため動作停止となり、ホスト４との通信を停止する。ホスト４は、画像形成装置２内のメインＣＰＵ１０との通信が停止したことを検出すると、ＡＣ電源入力ＩＡＣをＡＣ電源入力オンオフ回路８によりオフ状態にする。ステップＳＰ４において電源制御ＣＰＵ１４は、図５に示すＡＣ電源入力オフ状態検出処理手順ＳＲＴ１（後述する）へ入り、ＡＣゼロクロス信号ＳＺＣをＡＣゼロクロス検出部１６で検出することにより、ＡＣ電源入力ＩＡＣがオフ状態になったか否かを監視し、ステップＳＰ５へ移りＡＣ電源入力ＩＡＣがオフ状態になるまで待機する。
【００２０】
ステップＳＰ５において肯定結果が得られると、このことはＡＣ電源入力ＩＡＣがオフ状態になったことを表し、このとき電源制御ＣＰＵ１４はステップＳＰ６へ移り、ソフトウェアリセット状態へ動作モード制御部１８により移行し、ステップＳＰ７へ移る。
【００２１】
ステップＳＰ７において電源制御ＣＰＵ１４は、電源制御ＣＰＵ用電源ＰＰの電圧が低圧電源１２内の残留電荷の放電により低下することによりリセット回路２２からＯＮのハードウェアリセット信号ＳＨＲが出力されたか否かを判定する。ここで否定結果が得られると、このことはソフトウェアリセット状態ではあるもののハードウェアリセット状態まではまだ移行しないことを表し、このとき電源制御ＣＰＵ１４はステップＳＰ８へ移る。ステップＳＰ８において電源制御ＣＰＵ１４は、図６に示すＡＣ電源入力オン状態検出処理手順ＳＲＴ２（後述する）へ入り、ＡＣゼロクロス信号ＳＺＣをＡＣゼロクロス検出部１６で検出することにより、ＡＣ電源入力ＩＡＣがオン状態になったか否かを監視し、ステップＳＰ９へ移りＡＣ電源入力ＩＡＣがオン状態になったか否かを判定する。
【００２２】
ここで否定結果が得られると、このことはハードウェアリセット状態までは移行しておらずソフトウェアリセット状態であり、ＡＣ電源入力ＩＡＣがオフ状態のままであることを表し、このとき電源制御ＣＰＵ１４はステップＳＰ７へ戻る。
【００２３】
一方ステップＳＰ９において肯定結果が得られると、このことは電源制御ＣＰＵ用電源ＰＰの電圧が残留電荷の放電により低下して、リセット回路２２からＯＮのハードウェアリセット信号ＳＨＲが出力される前（すなわちステップＳＰ７において肯定結果を得る前）、すなわち残留電荷により電源制御ＣＰＵ１４がＡＣゼロクロス信号ＳＺＣの監視を動作可能な期間中に、ＡＣゼロクロス検出部１６により、ＡＣ電源入力ＩＡＣのオン状態を検出したことを表し、このとき電源制御ＣＰＵ１４は、ステップＳＰ１２へ移る。ステップＳＰ１２において電源制御ＣＰＵ１４は、動作モード制御部１８によりソフトウェアリセット状態から初期設定動作状態へ移行し、初期設定動作完了後、ステップＳＰ１３へ移る。ステップＳＰ１３において電源制御ＣＰＵ１４は、メインＣＰＵ用電源ＰＭをメインＣＰＵ用電源オンオフ回路２０によりオンにし、ステップＳＰ１４へ移りＡＣ電源入力オンオフ動作処理手順ＲＴ１を終了する。
【００２４】
一方ステップＳＰ７において肯定結果が得られると、このことはソフトウェアリセット状態からさらにハードウェアリセット状態まで移行することを表し、このとき電源制御ＣＰＵ１４はステップＳＰ１０へ移り、ハードウェアリセット状態へ動作モード制御部１８により移行し、ステップＳＰ１１へ移る。
【００２５】
ステップＳＰ１１において電源制御ＣＰＵ１４は、ＡＣ電源入力ＩＡＣがオン状態になり、電源制御ＣＰＵ用電源ＰＰの電圧が上昇することにより、リセット回路２２からＯＦＦのハードウェアリセット信号ＳＨＲが出力され、ハードウェアリセットが解除されたか否かを待ち受ける。ここで肯定結果が得られると、このことはハードウェアリセットが解除されたことを表し、このとき電源制御ＣＰＵ１４はステップＳＰ１２へ移り、動作モード制御部１８によりハードウェアリセット状態から初期設定動作状態へ移行し、初期設定動作完了後、ステップＳＰ１３へ移り、メインＣＰＵ用電源ＰＭをメインＣＰＵ用電源オンオフ回路２０によりオンにし、ステップＳＰ１４へ移りＡＣ電源入力オンオフ動作処理手順ＲＴ１を終了する。
【００２６】
このように電源制御ＣＰＵ１４は、ハードウェアリセット状態へ移行する前の段階で、ＡＣ電源入力ＩＡＣのオフ状態を検出しソフトウェアリセット状態へ移行するようにした。また電源制御ＣＰＵ１４は、ＡＣ電源入力ＩＡＣのオフ状態を検出しソフトウェアリセット状態へ移行した後にハードウェアリセット状態へ移行する前の段階で、ＡＣ電源入力ＩＡＣのオン状態を検出した場合、ハードウェアリセット状態へは移行せずに、ソフトウェアリセット状態から初期設定動作状態へ移行するようにした。
【００２７】
［１−４．ＡＣ電源入力オンオフ動作処理のタイミングチャート］
次に、画像形成装置２（図１）においてＡＣ電源入力オンオフ動作処理を行う場合における、比較例の画像形成装置と本実施の形態による画像形成装置２との動作について、図２のタイミングチャートを参照しながら説明する。ここで比較例の画像形成装置は、本実施の形態の画像形成装置２と比較して、電源制御ＣＰＵ１４においてＡＣゼロクロス検出部１６を有しておらず、ハードウェアリセット状態へは移行するもののソフトウェアリセット状態へは移行しない。
【００２８】
比較例の画像形成装置は、図２（Ａ）に示すように時点ｔ１においてＡＣ電源入力ＩＡＣがオン状態からオフ状態になると、図２（Ｄ）に示すように電源制御ＣＰＵ用電源ＰＰの電圧が、残留電荷の放電に伴って低下していく。電源制御ＣＰＵ用電源ＰＰの電圧がリセット電圧Ｖｒｓｔまで低下すると、図２（Ｄ）に一点鎖線で示すように時点ｔ３において画像形成装置２は、図２（Ｅ）に示すようにリセット回路２２から電源制御ＣＰＵ１４へＯＮのハードウェアリセット信号ＳＨＲを出力させる。
【００２９】
その後、時点ｔ４において図２（Ａ）に一点鎖線で示すようにＡＣ電源入力ＩＡＣがオフ状態からオン状態になると、電源制御ＣＰＵ用電源ＰＰの電圧が上昇していく。電源制御ＣＰＵ用電源ＰＰの電圧がリセット電圧Ｖｒｓｔまで上昇すると、図２（Ｄ）に一点鎖線で示すように時点ｔ５において画像形成装置２は、リセット回路２２から電源制御ＣＰＵ１４へＯＦＦのハードウェアリセット信号ＳＨＲを出力させることにより、ハードウェアリセットを解除する。
【００３０】
ＡＣ電源入力ＩＡＣが時点ｔ１においてオフ状態になった後から、電源制御ＣＰＵ用電源ＰＰの電圧がリセット電圧Ｖｒｓｔまで低下する前まで、すなわち残留電荷により電源制御ＣＰＵ１４が動作可能な期間中に、時点ｔ２においてＡＣ電源入力ＩＡＣが図２（Ａ）に示すようにオン状態になると、図２（Ｄ）に実線で示すように電源制御ＣＰＵ用電源ＰＰは、定格電圧まで上昇し始めるため、リセット電圧Ｖｒｓｔまで低下しないこととなる。このためリセット回路２２からＯＮのハードウェアリセット信号ＳＨＲが出力されず、電源制御ＣＰＵ１４は、初期設定動作状態へ移行できず、メインＣＰＵ用電源ＰＭをオンにすることができない。
【００３１】
このように比較例の画像形成装置は、ＡＣ電源入力ＩＡＣがオン状態からオフ状態へ変化した後、再度ＡＣ電源入力ＩＡＣをオン状態にするには、残留電荷の放電により電源制御ＣＰＵ用電源ＰＰの電圧がリセット電圧Ｖｒｓｔまで低下し、ＯＮのハードウェアリセット信号ＳＨＲが出力されるまで、時点ｔ１から時点ｔ３までの待ち時間Ｔｗｔが必要となってしまう。このように比較例の画像形成装置においては時点ｔ１から時点ｔ３までの間が、電源制御ＣＰＵ１４が動作可能な時間となり、時点ｔ３から時点ｔ５までの間がハードウェアリセット状態の時間となる。
【００３２】
これに対し画像形成装置２は、図２（Ａ）に示すように時点ｔ１においてＡＣ電源入力ＩＡＣがオン状態からオフ状態になると、図２（Ｂ）に示すように低圧電源１２からＡＣゼロクロス信号ＳＺＣを出力しなくなることにより、ＡＣゼロクロス検出部１６によりＡＣ電源入力ＩＡＣのオフ状態を検出する。画像形成装置２は、ＡＣ電源入力ＩＡＣのオフ状態を検出すると、電源制御ＣＰＵ１４において図２（Ｃ）に示すソフトウェアリセットモードＭＳＲをオンにすることにより、電源制御ＣＰＵ１４をソフトウェアリセット状態へ移行させると共に、ＡＣゼロクロス検出部１６によるＡＣ電源入力ＩＡＣのオンオフの監視を継続して行なう。
【００３３】
その後時点ｔ２において図２（Ａ）に示すようにＡＣ電源入力ＩＡＣがオフ状態からオン状態になると、画像形成装置２は、図２（Ｂ）に示すように低圧電源１２からＡＣゼロクロス信号ＳＺＣを出力することにより、ＡＣゼロクロス検出部１６によりＡＣ電源入力ＩＡＣのオン状態を検出する。画像形成装置２は、ＡＣ電源入力ＩＡＣのオン状態を検出すると、電源制御ＣＰＵ１４において図２（Ｃ）に示すソフトウェアリセットモードＭＳＲをオフにすることにより、電源制御ＣＰＵ１４のソフトウェアリセット状態を解除し、初期設定動作状態へ移行させる。このように画像形成装置２においては時点ｔ１から時点ｔ２までの間が、ソフトウェアリセット状態の時間となる。
【００３４】
このように画像形成装置２は、ＡＣ電源入力ＩＡＣがオフ状態になってから電源制御ＣＰＵ用電源ＰＰの電圧がリセット電圧Ｖｒｓｔに低下するまでの時間に関係なく、ＡＣ電源入力ＩＡＣがオフ状態になりＡＣゼロクロス信号ＳＺＣがオフになると、すぐに電源制御ＣＰＵ１４がソフトウェアリセット状態となるため、ＡＣ電源入力ＩＡＣのオフ状態（時点ｔ１）から、ＡＣ電源入力ＩＡＣのオン状態（時点ｔ２）までの待ち時間を大幅に削減できる。
【００３５】
［１−５．ＡＣ電源入力オフ状態検出処理］
次に、画像形成装置２によるＡＣ電源入力オフ状態検出処理の具体的な処理手順について、図５に示すＡＣ電源入力オフ状態検出処理手順ＳＲＴ１のフローチャートを用いて説明する。ＡＣ電源入力オンオフ動作処理手順ＲＴ１（図３）のステップＳＰ４において電源制御ＣＰＵ１４はＡＣ電源入力オフ状態検出処理手順ＳＲＴ１を開始し、ステップＳＰ２１へ移る。ステップＳＰ２１において電源制御ＣＰＵ１４は、検出したＡＣゼロクロス信号ＳＺＣのパルス数を示すＡＣゼロクロスカウンタＮをＡＣゼロクロス検出部１６により０にクリアし（Ｎ＝０）、ステップＳＰ２２へ移る。ステップＳＰ２２において電源制御ＣＰＵ１４は、ＡＣゼロクロス信号ＳＺＣのパルス数を検出する期間である時間Ｔ毎に割り込むタイマＴＭを図４に示す時点ｔ１０においてＡＣゼロクロス検出部１６によりスタートさせ、ステップＳＰ２３へ移る。本実施の形態においては、例えばタイマＴＭが１００［ｍｓ］に、後述するカウンタ閾値Ｎ１が９に設定されている。
【００３６】
ステップＳＰ２３において電源制御ＣＰＵ１４は、図４（Ａ）に示すタイマＴＭの割り込みであるタイマ割り込みＩＮＴが発生したか否かをＡＣゼロクロス検出部１６により判定する。ここで否定結果が得られると、このことはタイマＴＭの割り込みが未だ発生していないことを表し、このとき電源制御ＣＰＵ１４はステップＳＰ２４へ移る。ステップＳＰ２４において電源制御ＣＰＵ１４は、図４（Ｂ）に示すＡＣゼロクロス信号ＳＺＣのパルスをＡＣゼロクロス検出部１６により検出したか否かを判定する。ここで否定結果が得られると、このとき電源制御ＣＰＵ１４はステップＳＰ２３へ戻り、タイマＴＭの割り込みが発生したか否かを再び判定し、否定結果が得られると、ステップＳＰ２４へ移る。ステップＳＰ２４において肯定結果が得られると、このことはＡＣゼロクロス信号ＳＺＣのパルスを検出したことを表し、電源制御ＣＰＵ１４はステップＳＰ２５へ移り、ＡＣゼロクロスカウンタＮの値を１だけ増加させ（Ｎ＝Ｎ＋１）、ステップＳＰ２３へ戻る。このように電源制御ＣＰＵ１４は、ステップＳＰ２３、ＳＰ２４及びＳＰ２５を繰り返し実行することにより、タイマＴＭをスタートさせてから次にタイマＴＭの割り込みが発生するまで、ＡＣゼロクロス信号ＳＺＣのパルス数を計測する。これにより電源制御ＣＰＵ１４は、図４（Ｃ）に示すように、タイマＴＭがスタートしてからＡＣ電源入力ＩＡＣのゼロクロスが発生する度にＡＣゼロクロスカウンタＮの値を１ずつカウントアップしていき、次にタイマＴＭの割り込みが発生するまで、ＡＣゼロクロスカウンタＮの値がｋまでカウントアップさせることにより、時間Ｔの間に、ｋ個のＡＣゼロクロス信号ＳＺＣのパルスを計測する。
【００３７】
一方ステップＳＰ２３において肯定結果が得られると、このことはタイマＴＭの割り込みが発生し、ＡＣゼロクロス信号ＳＺＣのパルス数の計測期間が終了したことを表し、このとき電源制御ＣＰＵ１４はステップＳＰ２６へ移る。ステップＳＰ２６において電源制御ＣＰＵ１４は、ＡＣゼロクロスカウンタＮと、予め設定されたカウンタ閾値Ｎ１とを比較し、ＡＣゼロクロスカウンタＮがカウンタ閾値Ｎ１よりも小さい（Ｎ＜Ｎ１）か否かを判定する。ここで否定結果が得られると、このことはＡＣゼロクロスカウンタＮがカウンタ閾値Ｎ１以上であるためＡＣ電源入力ＩＡＣがオン状態のままであることを表し、このとき電源制御ＣＰＵ１４はステップＳＰ２８へ移りＡＣ電源入力オフ状態検出処理手順ＳＲＴ１を終了し、ＡＣ電源入力オンオフ動作処理手順ＲＴ１（図３）のステップＳＰ５へ移り、ステップＳＰ５において否定結果を得てＡＣ電源入力オフ状態検出処理手順ＳＲＴ１のステップＳＰ２１へ移り、ＡＣゼロクロスカウンタＮをＡＣゼロクロス検出部１６により０にクリアし、上述した処理を繰り返す。
【００３８】
一方ステップＳＰ２６において肯定結果が得られると、このことはＡＣゼロクロスカウンタＮがカウンタ閾値Ｎ１未満であるためＡＣ電源入力ＩＡＣがオフ状態になったことを表し、このとき電源制御ＣＰＵ１４はステップＳＰ２７へ移る。ステップＳＰ２７において電源制御ＣＰＵ１４は、ＡＣ電源入力ＩＡＣがオフ状態になったことを検出し、ステップＳＰ２８へ移りＡＣ電源入力オフ状態検出処理手順ＳＲＴ１を終了し、ＡＣ電源入力オンオフ動作処理手順ＲＴ１（図３）のステップＳＰ５へ移り、ステップＳＰ５において肯定結果を得てステップＳＰ６へ移る。
【００３９】
［１−６．ＡＣ電源入力オン状態検出処理］
次に、画像形成装置２によるＡＣ電源入力オン状態検出処理の具体的な処理手順について、図５と対応するステップに同一符号を付した図６に示すＡＣ電源入力オン状態検出処理手順ＳＲＴ２のフローチャートを用いて説明する。ＡＣ電源入力オン状態検出処理手順ＳＲＴ２はＡＣ電源入力オフ状態検出処理手順ＳＲＴ１と比較して、ステップＳＰ２６及びＳＰ２７に代えてステップＳＰ１２６及びＳＰ１２７が設けられている。電源制御ＣＰＵ１４は、ステップＳＰ２１〜ＳＰ２５においてＡＣ電源入力オフ状態検出処理手順ＳＲＴ１（図５）と同様の処理を行い、ステップＳＰ１２６へ移る。
【００４０】
ステップＳＰ１２６において電源制御ＣＰＵ１４は、ＡＣゼロクロスカウンタＮとカウンタ閾値Ｎ１とを比較し、ＡＣゼロクロスカウンタＮがカウンタ閾値Ｎ１以上（Ｎ≧Ｎ１）か否かを判定する。ここで否定結果が得られると、このことはＡＣゼロクロスカウンタＮがカウンタ閾値Ｎ１未満であるためＡＣ電源入力ＩＡＣがオフ状態のままであることを表し、このとき電源制御ＣＰＵ１４はステップＳＰ２８へ移りＡＣ電源入力オン状態検出処理手順ＳＲＴ２を終了し、ＡＣ電源入力オンオフ動作処理手順ＲＴ１（図３）のステップＳＰ９へ移り、ステップＳＰ９において否定結果を得てステップＳＰ７へ移る。ステップＳＰ７において否定結果が得られると電源制御ＣＰＵ１４はＡＣ電源入力オン状態検出処理手順ＳＲＴ２のステップＳＰ２１へ移り、ＡＣゼロクロスカウンタＮをＡＣゼロクロス検出部１６により０にクリアし、上述した処理を繰り返す。
【００４１】
一方ステップＳＰ１２６において肯定結果が得られると、このことはＡＣゼロクロスカウンタＮがカウンタ閾値Ｎ１以上であるためＡＣ電源入力ＩＡＣがオン状態になったことを表し、このとき電源制御ＣＰＵ１４はステップＳＰ１２７へ移る。ステップＳＰ１２７において電源制御ＣＰＵ１４は、ＡＣ電源入力ＩＡＣがオン状態になったことを検出し、ステップＳＰ２８へ移りＡＣ電源入力オン状態検出処理手順ＳＲＴ２を終了し、ＡＣ電源入力オンオフ動作処理手順ＲＴ１（図３）のステップＳＰ９へ移り、ステップＳＰ９において肯定結果を得てステップＳＰ１０へ移る。
【００４２】
［１−７．効果等］
以上の構成において画像形成装置２は、電源制御ＣＰＵ１４のＡＣゼロクロス検出部１６により、低圧電源１２から供給されるＡＣゼロクロス信号ＳＺＣを監視し、ＡＣ電源入力ＩＡＣのオンオフを検出するようにした。また画像形成装置２は、ＡＣ電源入力ＩＡＣのオン状態からオフ状態への変化を検出した場合は、電源制御ＣＰＵ１４をソフトウェアリセット状態に移行させ、その後、ハードウェアリセット状態になる前にＡＣ電源入力ＩＡＣのオフ状態からオン状態への変化を検出した場合は、電源制御ＣＰＵ１４を初期設定動作状態へ移行させるようにした。
【００４３】
このため画像形成装置２は、比較例の画像形成装置のように電源制御ＣＰＵ用電源ＰＰの電圧がリセット電圧Ｖｒｓｔに徐々に低下するまで待機することなく、ＡＣ電源入力ＩＡＣがオフ状態になりＡＣゼロクロス信号ＳＺＣがオフになると、すぐに電源制御ＣＰＵ１４をソフトウェアリセット状態にすることができる。これにより画像形成装置２は、ＡＣ電源入力ＩＡＣのオフ状態から、ＡＣ電源入力ＩＡＣのオン状態までの待ち時間を大幅に削減できる。
【００４４】
このように画像形成装置２は、低圧電源１２の残留電荷が放電され電源制御ＣＰＵ用電源ＰＰの電圧が低下するまで待機することなく、ＡＣ電源入力ＩＡＣがオフ状態になってから極めて短い時間で、電源制御ＣＰＵ１４を初期化可能な状態にすることができる。このため画像形成装置２は、ＡＣ電源入力ＩＡＣがオフ状態になってからすぐにオン状態になり、ハードウェアリセット状態にならなかったとしても、ソフトウェアリセット状態へ移行することにより、確実に電源制御ＣＰＵ１４を初期化できる。
【００４５】
また画像形成装置２は、ホスト４からシャットダウン指示を受信すると、まずメインＣＰＵ１０へのメインＣＰＵ用電源ＰＭを電源制御ＣＰＵ１４の制御によりオフにした後に、ＡＣ電源入力ＩＡＣがオフ状態になると、電源制御ＣＰＵ１４をソフトウェアリセット状態へ移行させると共に、その後、ＡＣ電源入力ＩＡＣがオン状態になると、メインＣＰＵ用電源ＰＭをオンにする前に、電源制御ＣＰＵ１４を初期設定動作状態へ移行させ、その後、メインＣＰＵ用電源ＰＭを電源制御ＣＰＵ１４の制御によりオンにするようにした。これにより画像形成装置２は、ホスト４からシャットダウン指示を受信した場合に、必ずメインＣＰＵ１０よりも電源制御ＣＰＵ１４の方を後のタイミングで動作を停止させることができ、電源制御ＣＰＵ１４により画像形成装置２全体の電源を制御できる。
【００４６】
ここで、リセット電圧Ｖｒｓｔを本実施の形態よりも高く設定することにより、電源制御ＣＰＵ用電源ＰＰの電圧の低下を早く検出することも考えられる。しかしながらその場合、電源制御ＣＰＵ用電源ＰＰが僅かに低下しただけでハードウェアリセット状態となってしまい、画像形成装置２が動作すべきときでも不意に動作しなくなってしまい使い勝手が悪くなってしまう可能性がある。
【００４７】
これに対し画像形成装置２は、ＡＣゼロクロスカウンタＮがカウンタ閾値Ｎ１よりも小さい場合、ソフトウェアリセット状態になるようにした。このため画像形成装置２は、タイマＴＭ及びカウンタ閾値Ｎ１を適切に設定することにより、電源制御ＣＰＵ用電源ＰＰの電圧の低下に関係なくソフトウェアリセット状態となることができる。
【００４８】
また画像形成装置２は、画像形成装置２内の定着器において元々使用されていたＡＣゼロクロス信号ＳＺＣを、電源制御ＣＰＵ１４のＡＣゼロクロス検出部１６でも流用するようにした。このため画像形成装置２は、新たに信号を生成することなく、画像形成装置２内で従来から利用されていたＡＣゼロクロス信号ＳＺＣを流用できる。
【００４９】
以上の構成によれば画像形成装置２は、交流電源である商用電源の周期的な変化に基づきＡＣ電源入力ＩＡＣを監視するＡＣゼロクロス検出部１６と、ＡＣゼロクロス検出部１６がＡＣ電源入力ＩＡＣのオン状態からオフ状態への変化を検出した場合は、ＡＣ電源入力ＩＡＣを監視する以外の機能を停止するソフトウェアリセット状態へ移行し、その後、ＡＣ電源入力ＩＡＣのオフ状態からオン状態への変化を検出した場合は、ソフトウェアリセット状態から初期設定動作状態へ移行する動作モード制御部１８とを有する電源制御ＣＰＵ１４を設けるようにした。これにより画像形成装置２は、低圧電源１２の残留電荷が放電され電源制御ＣＰＵ用電源ＰＰの電圧が低下するまで待機することなく、ＡＣ電源入力ＩＡＣがオフ状態になってから極めて短い時間で電源制御ＣＰＵ１４を初期化可能な状態にすることができる。
【００５０】
［２．他の実施の形態］
なお上述した実施の形態においては、ＡＣ電源入力ＩＡＣのゼロクロスのタイミング毎に低圧電源１２から出力されるＡＣゼロクロス信号ＳＺＣに基づき電源制御ＣＰＵ１４がＡＣ電源入力ＩＡＣのオン状態とオフ状態とを検出する場合について述べた。本発明はこれに限らず、電源制御ＣＰＵ１４は、例えば、ＡＣ電源入力ＩＡＣの波形の、正の最大値のタイミング、負の最大値のタイミング、負から正へ変化する際に０［Ｖ］と交差する立ち上がりのタイミングや、正から負へ変化する際に０［Ｖ］と交差する立ち下がりのタイミング等の種々のタイミングを検出したことを示す信号に基づきＡＣ電源入力ＩＡＣのオン状態とオフ状態とを検出しても良い。要は画像形成装置２は、所定時間内におけるＡＣ電源ＰＡＣの周期的な変化の回数が所定の閾値未満であった場合、ＡＣ電源入力ＩＡＣがオン状態からオフ状態へ変化したと検出し、ＡＣ電源ＰＡＣの周期的な変化の回数が所定の閾値以上であった場合、ＡＣ電源入力ＩＡＣがオフ状態からオン状態へ変化したと検出すれば良い。
【００５１】
また上述した実施の形態においては、ＡＣ電源入力オフ状態検出処理手順ＳＲＴ１におけるタイマＴＭを１００［ｍｓ］に、カウンタ閾値Ｎ１を９に設定する場合について述べた。本発明はこれに限らず、タイマＴＭ及びカウンタ閾値Ｎ１を他の種々の値としても良い。ＡＣ電源入力オン状態検出処理手順ＳＲＴ２においても同様である。ここで、タイマＴＭを短くしカウンタ閾値Ｎ１を小さくするほど、画像形成装置２はＡＣ電源入力ＩＡＣのオン状態とオフ状態とを早く検出できる。しかしながらその場合、瞬時停電が例えば２０［ｍｓ］等の極短い時間の間だけ発生したとしても電源制御ＣＰＵ１４がソフトウェアリセット状態になってしまうため、例えば瞬時停電の規格を通らなくなってしまう。このため画像形成装置２においては、瞬時停電の規格を満たす程度にはタイマＴＭ及びカウンタ閾値Ｎ１を設定することが好ましい。
【００５２】
さらに上述した実施の形態においては、ホスト４がＡＣ電源入力オンオフ回路８を制御することによりＡＣ電源入力ＩＡＣの供給を遠隔制御される画像形成装置２に本発明を適用する場合について述べた。本発明はこれに限らず、ＡＣ電源入力オンオフ回路８が存在せずにＡＣ電源ＰＡＣに直接接続された画像形成装置に本発明を適用しても良い。
【００５３】
さらに上述した実施の形態においては、用紙に画像を形成する画像形成装置２に本発明を適用する場合について述べた。本発明はこれに限らず、装置内部へ供給されるＡＣ電源のオンオフを制御される種々の装置に本発明を適用しても良い。
【００５４】
さらに上述した実施の形態においては、リセット回路２２から電源制御ＣＰＵ１４へハードウェアリセット信号ＳＨＲを出力する場合について述べた。本発明はこれに限らず、リセット回路２２を省略し、ユーザが手動で操作可能なスイッチを操作することにより該スイッチから電源制御ＣＰＵ１４へハードウェアリセット信号ＳＨＲを出力しても良い。
【００５５】
さらに上述した実施の形態においては、ＡＣ電源入力監視部としてのＡＣゼロクロス検出部１６と、動作モード制御部としての動作モード制御部１８とを有する電源制御部としての電源制御ＣＰＵ１４を有する画像処理装置としての画像形成装置２と、ホストとしてのホスト４とによって、画像処理システムとしての画像形成システム１を構成する場合について述べた。しかしながら本発明はこれに限らず、その他種々の構成でなるＡＣ電源入力監視部と、動作モード制御部とを有する電源制御部を有する画像処理装置と、ホストとによって、画像処理システムを構成しても良い。
【産業上の利用可能性】
【００５６】
本発明は、ＡＣ電源入力のオンオフ動作により画像形成装置内の電源のオンオフ制御を行う画像処理装置でも利用できる。
【符号の説明】
【００５７】
１……画像形成システム、２……画像形成装置、４……ホスト、８……ＡＣ電源入力オンオフ回路、１０……メインＣＰＵ、１２……低圧電源、１４……電源制御ＣＰＵ、１６……ＡＣゼロクロス検出部、１８……動作モード制御部、２０……メインＣＰＵ用電源オンオフ回路、２２……リセット回路、ＳＺＣ……ＡＣゼロクロス信号、ＰＭ……メインＣＰＵ用電源、ＰＰ……電源制御ＣＰＵ用電源、ＩＡＣ……ＡＣ電源入力、Ｎ……ＡＣゼロクロスカウンタ、ＰＡＣ……ＡＣ電源、ＳＨＲ……ハードウェアリセット信号、Ｖｒｓｔ……リセット電圧、Ｔｗｔ……待ち時間。
【図１】
2019034503.tif 000003
【図２】
2019034503.tif 000004
【図３】
2019034503.tif 000005
【図４】
2019034503.tif 000006
【図５】
2019034503.tif 000007
【図６】
2019034503.tif 000008